(57)【要約】【課題】コンテナ輸送時のカゴ台車固定装置を提供すること【解決手段】コンテナ輸送時のカゴ台車固定装置(1)は、トラックの進行方向前後に延在するラッシングベルト(20)と、ラッシングベルトの一端に取り付けられたラチェットバックル(22)と、ラッシングベルトの他端に取り付けられた固定装置本体(24)とを備えたカゴ台車固定装置であって、ラチェットバックル(22)及び固定装置本体(24)は、いずれもコンテナ内の側壁(10s)に固定され、ラチェットバックルを使用して、ラッシングベルト(20)を段階的に引っ張ることにより、押圧部材(37)を前記コンテナ内のカゴ台車(14)に向けて徐々に押圧して、カゴ台車(14)を側面から固定する。輸送終了後は、ラチェットバックル(22)の係合を解いてラッシングベルト(20)を緩める。ラチェットバックル(22)と固定装置本体(24)とは、コンテナ側壁に設置されたレール(16)に着脱自在に取り付けることができる。【選択図】図６
2011245980.tif 000002
【特許請求の範囲】
【請求項１】
コンテナ内の側壁に取り付けられる立ち上がり部材と、
コンテナ内の側壁に取り付けられ、前記立ち上がり部材を駆動する押し上げ部材と、
前記立ち上がり部材に保持された押圧部材であって、前記押し上げ部材によって該立ち上がり部材を駆動することにより昇降移動して、前記コンテナ内の積載物を押圧可能とする押圧部材とを備える、積載物の固定装置本体。
【請求項２】
一端が第１のピンにより、コンテナ内の側壁に回転自在に接続された立ち上がり部材と、
一端が第２のピンにより、前記コンテナ内の側壁に回転自在に接続された押し上げ部材と、
前記立ち上がり部材の他端及び前記押し上げ部材の他端が、第３のピンにより相互に回転自在に接続され、第３のピンには押圧部材が接続され、
第２のピンは、所定に範囲で直線的に移動自在であり、第１のピンに向かって、第２のピンを直線的に移動することにより、第３のピンに接続する前記押圧部材を押し上げて、前記コンテナ内の積載物を左方向又は右方向に押圧する、積載物の固定装置本体。
【請求項３】
請求項１又は２に記載の積載物の固定装置本体において、
前記立ち上がり部材及び前記押し上げ部材は、いずれも板状体である、積載物の固定装置本体。
【請求項４】
請求項１又は２に記載の積載物の固定装置本体において、
前記立ち上がり部材及び前記押し上げ部材は、いずれも棒状体である、積載物の固定装置本体。
【請求項５】
請求項１又は２に記載の積載物の固定装置本体において、更に、
前記押圧部材の上面に保護部材を備えている、積載物の固定装置本体。
【請求項６】
請求項２に記載の積載物の固定装置本体において、更に、
前記押し上げ部材の一端を段階的に引っ張り、各段階で停止可能な手段を備え、
前記引っ張る手段により、第２のピンを段階的に移動して、前記前記押圧部材を所望の高さに押し上げる、積載物の固定装置本体。
【請求項７】
輸送手段の進行方向前後に延在するように配置されるラッシングベルトと、
前記ラッシングベルトの一端に取り付けられたラチェットバックルと、
前記ラッシングベルトの他端に取り付けられた、請求項１乃至６のいずれか記載の固定装置本体とを備えたコンテナ輸送時のカゴ台車固定装置であって、
前記ラチェットバックル及び前記固定装置本体は、いずれも前記コンテナ内の側壁に固定され、
前記ラチェットバックルを使用して、前記ラッシングベルトを段階的に引っ張ることにより、前記押圧部材を前記コンテナ内の前記カゴ台車に向けて徐々に押圧して、該カゴ台車を固定する、カゴ台車固定装置。
【請求項８】
請求項７に記載のカゴ台車固定装置において、
前記ラチェットバックル及び前記固定装置本体は、いずれも、前記コンテナ内の側壁に直接固定されている、カゴ台車固定装置。
【請求項９】
請求項７に記載のカゴ台車固定装置において、
前記ラチェットバックル及び前記固定装置本体は、いずれも、端末金具を利用して前記コンテナ内の側壁に設置されたレールに着脱自在に取り付けられている、カゴ台車固定装置。
【発明の詳細な説明】
【技術分野】
【０００１】
本発明は、コンテナ輸送時のカゴ台車固定装置に関する。
【背景技術】
【０００２】
今日に於いて、物流輸送の多くは、トラックによるコンテナ輸送に委ねられている。コンテナは、一般に、鋼鉄・アルミニウム等で製造された、規格化された形状の箱であり、その中に積載物を積み込みトラック等で輸送を行う。コンテナの多くは、直方体の形状である。
【０００３】
図１及び２は、トラックを利用したコンテナ輸送を説明する図であり、図１は、トラックのコンテナ１０内を上方から見た図であり、図２は、図１の後部扉１２を開けてコンテナ内をラックの進行方向後ろ側より覗いた図である。なお、本出願書類で、「方向」は、トラック等の輸送手段の進行方向を前方とし、左右の方向は進行方向に向かって左右を定め、上下の方向は路面方向を下方向とする。
【０００４】
図１及び２に簡略化して示すように、トラックに積み込まれる積載物は、多くは、複数のカゴ台車１４に収納されている。カゴ台車１４は、正式には「ロールボックスパレット」と称するが、業界では、分かり易く「カゴ台車」と呼ばれることが多い。カゴ台車１４の形状は、キャスター１４ｃの付いた平荷台の四方を柵で囲んだ台車であり、一面が開放口、または開放扉となっている。カゴ台車１４は、スーパーマーケットの物流ヤード、倉庫、物流センターなど配送関係で多く使用されている。カゴ台車を使うことにより、保管と運搬の役目を兼用することが出来るからである。カゴ台車１４は、トラック後部の昇降機（図示せず。）を使ってコンテナ１０の内部にそのまま積載することが出来る。
【０００５】
トラック輸送では、コンテナ１０内のカゴ台車１４は常時振動に曝されている。更に、トラックの加速、減速、方向転換、路面の凹凸による上下動等により、カゴ台車１４に対して前後・左右・上下方向に力がかかる。従って、カゴ台車１４が、コンテナ内で移動しないように確実に固定しておく必要がある。従来、この固定方法は、コンテナ１０の左右の側壁１０ｓｒ，１０ｓｌに設定されたレール（「トラックレール」，とも言う。）１６ｒ，１６ｌに、端末金具（「ワンピース」とも言う。）１８ｒ，１８ｌを利用してラッシングベルト２０ｒ，２０ｌを夫々取り付け、このラッシングベルトの他端をラチェットバックル２２利用して締め付けることにより、行っている。これらレール１６、端末金具１８、ラッシングベルト２０及びラチェットバックル２２は、いずれも、物流業界では広く知られた器具、部材である。
【先行技術文献】
【特許文献】
【０００６】
【特許文献１】特開2007-99383「コンテナ用防護器具」（公開日：2007/04/19）  特許文献１は、コンテナに積載された物品がコンテナの側壁に衝突することを防止し得るコンテナ用防護器具を開示する。特許文献１の発明は、コンテナに積載された物品とコンテナの側壁との間に介在し、前記物品が前記側壁に接触することを阻止する防護部材と、前記側壁に設置されたレール部材に対して着脱自在な取付部を有し、前記防護部材を支持する支持部材を具備している（要約参照）。
【０００７】
特許文献１の発明は、積載物がコンテナ側壁に直接衝突するのを防止するため、積載物品と側壁との間に防護部材を介在させてコンテナが損傷するのを保護している。これに対して、本発明は、積載物品を左右方向の両方又はいずれか一方に押圧することにより、積載物の振動を抑制している。この目的の相違により、両発明は、その構成、作用、効果の点で相違する。
【発明の概要】
【発明が解決しようとする課題】
【０００８】
このラチェットバックル式ラッシングベルトを使用した固定方法１８ｒ，１８ｌ，２０，２２は、複数台のカゴ台車１４をコンテナ１０内で前方（進行方向）に押し付けることにより固定している。例えば、トラックの積載量の相違により、コンテナ１０内には、カゴ台車１４が、（車幅方向×進行方向）で（２列×５台）〜（３列×１８台）が積載されている。
【０００９】
この固定方法には、次のような問題点が指摘されている。
【００１０】
(1) ラチェットバックルでラッシングベルトを強く巻き上げることによるカゴ台車の損傷
(2) ラチェットバックルでラッシングベルトを強く巻き上げることによる、コンテナ側壁からのレールの脱落、コンテナ側壁の損傷
(3) 基本的には、最終列のカゴ台車を前方に押し付ける固定方法。しかし、カゴ台車は、前後・左右・上下方向に継続的に力がかかるので、非効率的な固定方法である。
【課題を解決するための手段】
【００１１】
従って、本発明は、新規なコンテナ輸送時のカゴ台車固定装置を提供することを目的とする。
【００１２】
上記目的に鑑みて、本発明に係る積載物の固定装置本体は、コンテナ内の側壁に取り付けられる立ち上がり部材と、コンテナ内の側壁に取り付けられ、前記立ち上がり部材を駆動する押し上げ部材と、前記立ち上がり部材に保持された押圧部材であって、前記押し上げ部材によって該立ち上がり部材を駆動することにより昇降移動して、前記コンテナ内の積載物を押圧可能とする押圧部材とを備えることを特徴とする。
【００１３】
また、本発明に係る積載物の固定装置本体は、一端が第１のピンにより、コンテナ内の側壁に回転自在に接続された立ち上がり部材と、一端が第２のピンにより、前記コンテナ内の側壁に回転自在に接続された押し上げ部材と、前記立ち上がり部材の他端及び前記押し上げ部材の他端が、第３のピンにより相互に回転自在に接続され、第３のピンには押圧部材が接続され、第２のピンは、所定に範囲で直線的に移動自在であり、第１のピンに向かって、第２のピンを直線的に移動することにより、第３のピンに接続する前記押圧部材を押し上げて、前記コンテナ内の積載物を左方向又は右方向に押圧することを特徴とする。
【００１４】
その積載物の固定装置本体において、前記立ち上がり部材及び前記押し上げ部材は、いずれも板状体としてもよい。
【００１５】
その積載物の固定装置本体において、前記立ち上がり部材及び前記押し上げ部材は、いずれも棒状体であってもよい。
【００１６】
その積載物の固定装置本体において、更に、前記押圧部材の上面に保護部材を備えてもよい。
【００１７】
その積載物の固定装置本体において、更に、前記押し上げ部材の一端を段階的に引っ張り、各段階で停止可能な手段を備え、前記引っ張る手段により、第２のピンを段階的に移動して、前記前記押圧部材を所望の高さに押し上げるようにしてもよい。
【００１８】
また、本発明に係るカゴ台車固定装置は、輸送手段の進行方向前後に延在するように配置されるラッシングベルトと、前記ラッシングベルトの一端に取り付けられたラチェットバックルと、前記ラッシングベルトの他端に取り付けられた、請求項１乃至６のいずれか記載の固定装置本体とを備えたコンテナ輸送時のカゴ台車固定装置であって、前記ラチェットバックル及び前記固定装置本体は、いずれも前記コンテナ内の側壁に固定され、前記ラチェットバックルを使用して、前記ラッシングベルトを段階的に引っ張ることにより、前記押圧部材を前記コンテナ内の前記カゴ台車に向けて徐々に押圧して、該カゴ台車を固定することを特徴とする。
【００１９】
そのカゴ台車固定装置において、前記ラチェットバックル及び前記固定装置本体は、いずれも、前記コンテナ内の側壁に直接固定されてもよい。
【００２０】
そのカゴ台車固定装置において、前記ラチェットバックル及び前記固定装置本体は、いずれも、端末金具を利用して前記コンテナ内の側壁に設置されたレールに着脱自在に取り付けられてもよい。
【発明の効果】
【００２１】
本発明によれば、新規なコンテナ輸送時のカゴ台車固定装置を提供することが出来る。
【図面の簡単な説明】
【００２２】
【図１】図１は、トラックを利用したコンテナ輸送を説明する図であり、トラックのコンテナ内を上方から見た図である。
【図２】図２は、トラックを利用したコンテナ輸送を説明する図であり、図１の後部扉を開けてコンテナ内をラックの進行方向後ろ側より覗いた図である。
【図３】図３は、カゴ台車固定装置を説明する図であり、カゴ台車固定装置を構成するラッシングベルトと、その一端に取り付けたラチェットバックルとを示す図である。
【図４】図４は、このカゴ台車固定装置を説明する図であり、カゴ台車固定装置を構成するラッシングベルトと、その他端に取り付けた固定装置本体とを示す図である。
【図５Ａ】図５Ａは、カゴ台車固定装置をコンテナ内に固定するために利用するラッシングベルト用端末金具を示す図である。
【図５Ｂ】図５Ｂは、図５Ａに示すラッシングベルト用端末金具を、コンテナ内のレールに取り付けた状態を示す図である。
【図６】図６は、コンテナ内の左右の側壁に対して、カゴ台車固定装置を３組ずつ取り付けた例を示す図である。
【図７】カゴ台車固定装置の機構の基本的概念を説明する図である。
【発明を実施するための形態】
【００２３】
以下、本発明に係るコンテナ輸送時のカゴ台車固定装置１の実施形態に関して、添付の図面を参照しながら詳細に説明する。図中、同じ要素に対しては同じ参照符号を付して重複した説明を省略することを承知されたい。
【００２４】
［コンテナ輸送時のカゴ台車固定装置］
（全体）
図１及び図２に示す従来のカゴ台車固定装置は、複数台のカゴ台車１４をコンテナ１０内で前方（進行方向）に押し付けることにより行っている。
【００２５】
図６を参照願いたい。これに対して、本実施形態に係るかご形台車固定装置１（固定装置本体２４、ラチェットバックル２２及びラッシングベルト（図示せず。）から成る。）の特徴は、コンテナ内の左右の側壁１０ｓｌ，１０ｓｒに対して取り付けられ、かご形台車１４を左右方向（車幅方向）に押圧することにより固定している点にある。更に、このカゴ台車固定装置の特徴は、カゴ台車１４とコンテナ１０の側壁の間（隙間）の（車幅方向）長さに応じて、カゴ台車固定装置１の（車幅方向）高さを容易に調整することが出来る点にある。以下、具体的に説明する。
【００２６】
（カゴ台車固定装置）
図３及び図４は、このカゴ台車固定装置１の詳細を説明する図である。カゴ台車固定装置１は、ラッシングベルト２０（図３及び図４）と、その一端に取り付けたラチェットバックル２２（図３）と、その他端に取り付けた固定装置本体２４（図４）とを備えている。
【００２７】
ラッシングベルト２０（図３及び図４）は、典型例であって、ラチェットバックル２２の引っ張り力に耐え得るベルトであれば、任意のベルトを使用してもよい。
【００２８】
ラチェットバックル２２（図３）は、典型例であって、ラッシングベルト２０を段階的に引っ張り、各段階で停止し、任意の段階で係合を解いてベルトを緩める機能を有する器具であれば、任意のベルト引っ張り器具を使用してもよい。
【００２９】
ラチェットバックル２２は、ベルト巻取り軸（回転軸）３０と、そのベルト巻取り軸３０を回転駆動させるハンドル２６と、周囲に歯が形成された２枚のラチェットホイール２８Ｒ，２８Ｌとを有している。
【００３０】
ハンドル２６を回転軸３０の周りに反時計方向に回動させたとき、ベルト巻取り軸３０は回転して、ベルト２０を巻き込む。反対に、ハンドル２６を回転軸３０の周りに時計方向に回動させたときには、ハンドル２６は空回りして、ベルト巻取り軸３０は回転しない。ハンドル２６を反時計方向と時計方向に回転する操作（矢印Ｓで示す動き）を続けることにより、ベルト２０はベルト巻取り軸３０に徐々に巻き取られる。ラチェットホイール２８Ｒ，２８Ｌに係合する歯止め（図示せず。）を外すことにより、ベルト２０に掛かった張力が解放される。
【００３１】
固定装置本体２４について説明する。図４の（Ａ）は、ラチェットバックル２２の係合が解かれて、ラッシングベルト２０が緩められた状態（以下、「緩み状態」とも言う。）における固定装置本体２４を示し、図４の（Ｂ）は、ラチェットバックル２２によりラッシングベルト２０が一杯に引っ張られた状態（以下、「引っ張り状態」とも言う。）における固定装置本体２４を示している。（Ａ）の緩み状態の固定装置本体２４と比較して、（Ｂ）の引っ張り状態の固定装置本体２４は白矢印方向に高くなっている。固定装置本体２４は、コンテナ１０内に、この白矢印方向がコンテナの幅方向（車幅方向）に向かうように設置される。
【００３２】
図４を参照しながら、固定装置本体２４の機構を具体的に説明する。固定装置本体２４は、基部３２と、基部内に配置され、白矢印方向へ昇降移動が可能な押圧部材３７と、押圧部材３７の昇降を行う立ち上がり部材３８及び押し上げ部材４０とを有している。これらの部材は、いずれもアルミニウム、ステンレスのような堅牢な金属製であることが好ましい。
【００３３】
基部３２は、概して、長手方向に沿って所定の長さＬを持ち、２つの基部側部３２ｓと両部材をつなぐ基部底部３２ｂから成る、断面は凹部が上方を向いたコの字形状となっている。
【００３４】
押圧部材３７は、（Ａ）に示す緩み状態に示すように、基部３２の凹部に収納可能なサイズであり、概して、長手方向に沿って（基部３２より短い）所定の長さを持つ。押圧部材３７は、断面は凹部が下方を向いたコの字形状となっている。押圧部材３７の上面は、カゴ台車１４を押圧する面であるため、カゴ台車を損傷しないように、保護部材（図示せず。）で覆ってもよい。保護部材は、例えば、布、合成樹脂、ゴムやスポンジ等の弾性部材であってよい。
【００３５】
この押圧部材３７の昇降機構は、立ち上がり部材３８、押し上げ部材４０及び基部３２によって実現される。図４では、この昇降機構は、押圧部材３７の両端部に設けられているが、１個又は２個以上であってもよい。立ち上がり部材３８の一端は、第１のピン３４を使って基部側面部３２ｓに対して留められ、立ち上がり部材３８は第１のピン３４の周りに回転自在に支持されている。押し上げ部材４０の一端は、第２のピン３６を使って基部側面部３２ｓに対して留められ、押し上げ部材４０は第２のピン３６の周りに回転自在に支持されている。この第２のピン３６は、基部側面部３２ｓに形成された長い孔（角丸長方形）３６ｒにより、長手方向に（孔３０ｒの長径だけ）移動可能となっている。立ち上がり部材３８の他端と押し上げ部材４０の他端は、第３のピン３５を使って、押圧部材３７に留められている。従って、立ち上がり部材３８及び押し上げ部材４０は、いずれも第３のピン３５の周りに回転自在となっている。
【００３６】
本出願書類で、「第１〜３のピン」は、複数の部材を相互に回転自在に留めることが出来る任意の手段を含むことを承知されたい。例えば、ボルトに２個のナットを使用して複数の部材を相互に回転自在に留める手段、ピボットと称する旋回軸、割りピン、蝶番等を含んでいる。
【００３７】
ラッシングベルト２０が、押し上げ部材４０の他端（第２のピン３６側）に対して接続されている。１個の押し上げ部材４０に接続してもよく、２個以上（図４では２個を図示）の押し上げ部材４０に対して接続してもよい。
【００３８】
（Ａ）に示す「緩み状態」から、（Ｂ）に示す「引っ張り状態」に移行する場合、ラチェットバックル２２を使ってラッシングベルト２０を段階的に引っ張ると、押し上げ部材４０の他端側は、第２のピン３６が長い孔（角丸長方形）３６を移動可能な範囲内で（図で見て左方向に）移動する。この移動により、第３のピン３５の位置が白矢印方向に向かって移動する。第３のピン３５には、押圧部材３７が取り付けられているので、押圧部材３７も白矢印方向に、即ち、コンテナ内を左右方向（車幅方向）に立ち上がる。
【００３９】
（Ｂ）に示す「引っ張り状態」から、（Ａ）に示す「緩み状態」に移行する場合、ラチェットバックル２２の係合を解いて、ラッシングベルト２０の緊張を緩める。
【００４０】
なお、ラッシングベルト２０の緊張は、押圧部材３７がカゴ台車１４の押圧を開始すると、反作用を受けてラッシングベルト２０の引っ張り状態が徐々に強く生じることによる。或いは、予め、押圧部材３７を基部底部３２ｂに向けて駆動する任意の手段を設けて緊張状態を常時発生するようにしてもよい。この駆動手段（図示せず。）としては、例えば、第３のピン３５に巻かれ、立ち上がり部材３８と押し上げ部材４０とに作用して両部材のなす角度を拡げるように作用するコイルスプリング（図示せず。）、第１のピン３４に巻かれ、支持部材３４を基部底部３２ｂに向かって反時計方向に回転駆動するコイルスプリング（図示せず。）、第２のピン３６に巻かれ、押し上げ部材４０を基部底部３２ｂに向かって時計方向に回転駆動するコイルスプリング（図示せず。）、押圧部材３７と基部３２の間で両部材に接続し両部材を接近させるように作用するスプリング（図示せず。）等であってよい。
【００４１】
ラッシングベルト２０を緩み状態に移行すると、駆動手段が無い場合には人手で、駆動手段がある場合には駆動手段により、押圧部材３７は基部３２の凹部内に押し込まれる。
【００４２】
［コンテナ側壁への設置方法］
このカゴ台車固定装置１は、コンテナ内の左右の側壁１０ｓｌ，１０ｓｒに対して直接固定してもよい。例えば、ラチェットバックル２２（図２）と固定装置本体２４（図４）とを、側壁１０ｓｌ，１０ｓｒに対して、前後方向に所定の間隔を空けてネジ止め、溶接止め等により固定してもよい。
【００４３】
或いは、図５Ａに示すような、ラッシングベルトの端末金具（「ワンピース」とも言う。）４２を利用して、ラチェットバックル２２及び固定装置本体２４をコンテナ側壁１０ｓに対して着脱自在に取り付けてもよい。具体的には、端末金具４２を、ラチェットバックル２２及び固定装置本体２４の底部（又は台座を設けて、この台座の底部）に夫々ネジ止め、溶接等で取り付け、図５Ｂに示すように、この端末金具４２を利用して、コンテナ側壁１６ｓに設置してあるレール１６に着脱自在に取り付けて、ラチェットバックル２２及び固定装置本体２４（破線表示）をコンテナ側壁１０ｓに取り付けてもよい。
【００４４】
図６は、コンテナ内の左右の側壁１０ｓｌ，１０ｓｒに対して、カゴ台車固定装置１を３組ずつ取り付けた例を示す。カゴ台車固定装置１の寸法や押圧部材３７の昇降する距離（コンテナ内に向かって突出する距離）の大きさは、コンテナの大きさに応じて適切なものを使用することができ、例えば、１組のカゴ台車固定装置１の長さを約２ｍとし、押圧部材３７が約３０ｍｍから８０ｍｍのそれぞれの範囲内で昇降するものを用いることができる。
【００４５】
このカゴ台車固定装置１により、カゴ台車１４と側壁１０ｓの間の隙間が実質的に無くなり、各カゴ台車１４は車幅方向へ移動する余地が無くなる。更に、各カゴ台車１４は車幅方向に押圧されているため、トラックの運転中の振動・移動が抑制される。
【００４６】
レール１６は、コンテナ１０内の左右の側壁１０ｓｌ，１０ｓｒの両方でもよく、任意の一方に設置しもよい。更に、一方の側壁１０ｓに対して、一本でも、上下方向に間隔を空けて相互に平行に複数本のレール１６を設置してもよい。更に、１個のラチェットバックル２２又は固定装置本体２４に対して、複数個の端末金具４２を取り付けて、取り付け強度を増強してもよい。更に、１本のレール１６に対して、１個又は複数個のカゴ台車固定装置１を設置してもよい。
【００４７】
図６の実施形態に代えて、コンテナ内の左右の側壁１０ｓｌ，１０ｓｒのどちらか一方に、カゴ台車１４と側壁との間の隙間を小さくするような部材を取り付け、他方の側壁に、カゴ台車固定装置１を取り付けるようにしてもよい。
【００４８】
なお、本実施形態に係るカゴ台車固定装置１に加えて、図１に関連して説明した従来の固定方法を併用してもよい。従来の固定方法を併用することにより、カゴ台車１４は、前後方向及び左右方向から拘束され、固定される。
【００４９】
［カゴ台車固定装置の基本概念］
ここで、カゴ台車固定装置１の機構の基本的概念を再考する。図７（Ａ），（Ｂ）は、図４（Ａ），（Ｂ）に示す押圧部材３７の昇降機構を簡略化して図示したものである。（Ａ）は「緩み状態」であり、Ｂは「引っ張り状態」である。
【００５０】
立ち上がり部材３８の一端には第１のピン３４があり、第１のピン３４は基部３２に固定されたピンである。押し上げ部材４０の一端には第２のピン３６があり、第２のピン３６は、長い孔３６ｒにより水平方向に移動自在なピンである。第３のピン３５は、立ち上がり部材３８の他端及び押し上げ部材４０の他端にある移動自由なピンである。（Ａ）の緩み状態とＢの引っ張り状態の間の移行に関して、次の特徴があげられる。
【００５１】
(1) 第２のピン３６の水平移動が、第３のピン３５の上下移動へ方向転換されている。
【００５２】
(2) 第３のピン３５（に接続する押圧部材３７）がかご形台車１４を押圧した場合、その反作用の力（抗力）は、立ち上がり部材３８及び押し上げ部材４０が夫々その分力として受ける。従って、比較的大きな抗力が生じても、立ち上がり部材３８及び押し上げ部材４０はこれを支えることが出来る。立ち上がり部材３８及び押し上げ部材４０を同じ長さにすると、夫々にかかる分力は同じ大きさとなる。
【００５３】
(3) 第３のピンの上下方向移動量を自由に設計できる。立ち上がり部材３８及び押し上げ部材４０を同じ長さにすると一番長い上下方向移動量が得られる。或いは、所望の上下方向移動量が決められ、立ち上がり部材３８の立ち上がり角度が決まれば、立ち上がり部材３８の長さが必然的に決まる。この立ち上がり部材３８に対して、押し上げ部材４０を比較的長くすると、第２のピン３６の少ない水平移動により、第３のピン３５を比較的早く立ち上げることができる。
【００５４】
(4) 図４では、立ち上がり部材３８及び押し上げ部材４０を板状体（プレート）として説明した。しかし、立ち上がり部材３８及び押し上げ部材４０を棒状体（ロッド）にしてもよい。立ち上がり部材３８及び押し上げ部材４０を棒状体にした場合、基部３２の幅方向に複数個設ける必要がある。
【００５５】
［本実施形態の利点、長所］
(1) ラチェットバックル２２を使ってラッシングベルト２０を段階的に引っ張り、任意の段階で停止出来ることにより、押圧部材３７の高さを任意の高さに設定できる。
【００５６】
(2) ラチェットバックル２２を使うことにより、作業員が片手で、カゴ台車固定装置１を容易に操作することが出来る。
【００５７】
(3) カゴ台車固定装置１を、ラッシングベルト用端末金具４２を利用してコンテナ内のレール１６に取り付けることにより、容易に着脱自在に取り付けることが出来る。
【００５８】
(4) コンテナ内に既にレール１６が設置されているコンテナに対しては、カゴ台車固定装置１を用意するだけで、コンテナ輸送時のカゴ台車１４の固定が出来る。
【００５９】
［代替例、変形例、その他］
以上、本発明に係るコンテナ輸送時のカゴ台車固定装置の実施形態に関して説明したが、これらは例示であって、これに限定されない。当業者が容易になしえる本実施形態に対する削除・付加・変更・改良は、本発明の範囲内である。
【００６０】
(1)本実施形態をトラック輸送のコンテナを例にとって説明した。しかし、輸送手段は、これに限定されない。本発明は、コンテナ郵送が可能な鉄道、航空機等の任意の輸送手段に適用される。
【００６１】
(2) 本実施形態では積載物としてカゴ台車を例にとって説明した。しかし、積載物は、これに限定されない。本発明は、コンテナ輸送される任意の積載物に適用される。
【００６２】
本発明の技術的範囲は、添付の特許請求の範囲の記載によって定められる。
【符号の説明】
【００６３】
１：カゴ台車固定装置、  １０：コンテナ、  １２：後部扉、  １４：カゴ台車、  １４ｃ：カゴ台車のキャスター、  １０：コンテナ内の側壁、  １０ｓ：コンテナ内の側壁、  １０ｓｌ：左側側壁、  １０ｓｒ：右側側壁、  １６：レール，トラックレール、  １６ｌ：左側側壁のレール、１６ｒ：右側側壁のレール、  １８：端末金具，ワンピース、  １８ｌ：左側の端末金具、  １８ｒ：右側の端末金具、  ２０：ラッシングベルト、  ２０ｌ：左側のラッシングベルト、  ２０ｒ：右側のラッシングベルト、  ２２：ラチェットバックル、  ２４：固定装置本体、  ３２：基部、  ３２ｓ：基部側部、  ３２ｂ：基部底部、  ３４：第１のピン、３５：第３のピン、  ３６：第２のピン、  ３６ｒ：長い孔，角丸長方形の孔、  ３７：押圧部材、  ３８：立ち上がり部材、  ４０：押し上げ部材、  ４２：端末金具，ワンピース、
【図１】
2011245980.tif 000003
【図２】
2011245980.tif 000004
【図３】
2011245980.tif 000005
【図４】
2011245980.tif 000006
【図５Ａ】
2011245980.tif 000007
【図５Ｂ】
2011245980.tif 000008
【図６】
2011245980.tif 000009
【図７】
2011245980.tif 000010